(57)【要約】      （修正有）【課題】当該タッチパネルを備えたタッチスクリーンが良好なタッチ性能と画質の双方を兼ね備え、更にはタッチスクリーンの応用性向上を可能とするタッチパネルを提供する。【解決手段】タッチパネル１は、透明基板、検出用電極層１２、遮光導電層１３、遮光絶縁層１４及び配線層１５を含み、透明基板は表示領域Ａと非表示領域Ｂを備え、遮光導電層１３は、非表示領域Ｂに位置する検出用電極層１２と配線層１５の間に形成され、透明基板の非表示領域Ｂ全体が遮光導電層１３と遮光絶縁層１４とで共同で覆われるため、遮光導電層１３によって検出用電極層１２と配線層１５を電気接続可能なだけでなく、表示領域Ａ及び境界部分のいずれにおいても良好な画質を確保することができる。従って、タッチパネルを備えた表示装置は、良好なタッチ性能及び画質等の利点を兼ね備えることが可能である。【選択図】図１
0003190138.tif 000002
【実用新案登録請求の範囲】
【請求項１】
タッチパネルであって、
表示領域と非表示領域を備え、当該非表示領域は当該表示領域の周囲に位置する透明基板、
前記透明基板の表示領域及び非表示領域に形成される検出用電極層、
非表示領域に位置する検出用電極層上に形成される遮光導電層、
前記透明基板の非表示領域上に形成されるとともに、当該非表示領域に位置する検出用電極層上に形成される遮光絶縁層、及び
前記遮光導電層及び前記遮光絶縁層上に形成され、且つ前記遮光導電層と前記検出用電極層に電気接続される配線層、を含む、
タッチパネル。
【請求項２】
前記遮光絶縁層は前記遮光導電層の周囲に形成される請求項１に記載のタッチパネル。
【請求項３】
前記遮光導電層は、前記透明基板の非表示領域の反対側である第１面を備え、前記遮光絶縁層は、前記透明基板の非表示領域の反対側である第２面を備え、且つ、当該遮光絶縁層の第２面は前記遮光導電層の第１面と面一である、請求項１又は２に記載のタッチパネル。
【請求項４】
更に、前記配線層と前記遮光導電層の間に形成される金属被膜層を含む請求項１又は２に記載のタッチパネル。
【請求項５】
更に、前記配線層と前記遮光導電層の間に形成される金属被膜層を含む請求項３に記載のタッチパネル。
【請求項６】
前記金属被膜層は、前記透明基板の非表示領域の反対側である第３面を備え、前記遮光絶縁層の第２面は当該金属被膜層の第３面と面一である、請求項５に記載のタッチパネル。
【請求項７】
前記遮光絶縁層は、前記透明基板の非表示領域の反対側である第２面を備え、前記金属被膜層は、前記透明基板の非表示領域の反対側である第３面を備え、且つ、前記遮光絶縁層の第２面は前記前記金属被膜層の第３面と面一である、請求項４に記載のタッチパネル。
【請求項８】
前記表示領域に位置する検出用電極層は、
それぞれ等間隔で前記透明基板の表示領域に形成されるとともに、第１軸方向に沿って配列される複数の第１電極手段、
隣接する２つの第１電極手段をそれぞれ接続する複数の第１軸方向配線、
前記の各第１軸方向配線に形成される複数の絶縁層、
それぞれ等間隔で前記透明基板の表示領域に形成されるとともに、前記第１軸方向と交差する第２軸方向に沿って配列される複数の第２電極手段、及び
隣接する２つの第２電極手段をそれぞれ接続するとともに、前記の各絶縁層上に形成される複数の第２軸方向配線、を含む請求項１〜７のいずれか１項に記載のタッチパネル。
【考案の詳細な説明】
【技術分野】
【０００１】
本考案はタッチパネルに関し、特に、タッチスクリーンの良好な画質を確保可能なタッチパネルに関する。
【背景技術】
【０００２】
科学技術産業の発展に伴い、携帯電話、デジタルカメラ、テレビ或いはコンピュータに適用され、且つ良好な表示機能と利便性を兼ね備えたタッチスクリーンを開発すべく、タッチパネルとディスプレイモジュールを組み合わせた研究が数多くなされている。
【０００３】
通常、タッチパネルは表示領域と非表示領域に分割され、非表示領域は、表示領域の周囲を取り囲むように形成されてフレームをなし、これがタッチパネルにおいて検出用電極に電気接続される配線を収容可能なため、使用者は、タッチスクリーンを操作する際に表示領域（タッチ操作領域ともいう）に表示される画面だけを目にすることになり、タッチスクリーンの見栄えが向上している。
【０００４】
図４を参照する。従来技術におけるタッチパネル４は、透明基板４１、検出用電極層４２、絶縁インク層４３、導電層４４及び配線層４５を主に含む。前記導電層４４は、検出用電極層４２と絶縁インク層４３上に跨って配置されており、且つ配線層４５が絶縁インク層４３及び導電層４４上に設けられているため、配線層４５は導電層４４を介して検出用電極層４２に電気接続され、信号伝達の目的を達成可能となっている。
【０００５】
ところが、このようなタッチパネル４は絶縁インク層４３によって表示領域４６と非表示領域４７に分割されるが、導電層４４の透過率が高くないことから、表示領域４６と非表示領域４７の境界部分に設けられた導電層４４が表示領域４６の透過率に影響して、表示領域４６における表示領域４６と非表示領域４７の境界部分に多数の黄点が出現しやすくなり、タッチスクリーン本来の画質が損なわれることもある。
【考案の概要】
【考案が解決しようとする課題】
【０００６】
従来技術のディスプレイパネルをタッチスクリーンに組み合わせた場合における課題に鑑み、本考案はタッチパネルを提供するとともに、本考案のタッチパネルを備えたタッチスクリーンが良好なタッチ性能と画質の双方を兼ね備え、更にはタッチスクリーンの応用性向上を可能とすることを主たる目的とする。
【課題を解決するための手段】
【０００７】
上記の目的を達成するために、本考案は、表示領域と非表示領域を備え、当該非表示領域は当該表示領域の周囲に位置する透明基板、前記透明基板の表示領域及び非表示領域に形成される検出用電極層、前記検出用電極層と電気接続するように、非表示領域に位置する検出用電極層上に形成される遮光導電層、前記透明基板の非表示領域上に形成されるとともに、当該非表示領域に位置する検出用電極層上に形成される遮光絶縁層、及び、前記遮光導電層及び前記遮光絶縁層上に形成され、且つ前記遮光導電層と前記検出用電極層に電気接続される配線層、を含むタッチパネルを提供する。
【０００８】
本考案によれば、前記遮光導電層の一方の面が前記検出用電極層に接続され、他方の面が前記配線層に接続されるため、配線層は遮光導電層を介して前記検出用電極層に電気接続可能となる。
【０００９】
好ましくは、前記遮光絶縁層は前記遮光導電層の周囲に形成される。即ち、前記遮光導電層は、上面に前記配線層が形成され、下面に前記検出用電極層が形成されるとともに、側面を取り囲むように前記遮光絶縁層が形成される。
【００１０】
好ましくは、前記遮光導電層は、前記透明基板の非表示領域の反対側である第１面を備え、前記遮光絶縁層は、前記透明基板の非表示領域の反対側である第２面を備え、且つ、当該遮光絶縁層の第２面は前記遮光導電層の第１面と面一である。
【００１１】
好ましくは、前記タッチパネルは、更に、前記配線層と前記遮光導電層の間に形成される金属被膜層を含む。
【００１２】
好ましくは、前記遮光絶縁層は、前記透明基板の非表示領域の反対側である第２面を備え、前記金属被膜層は、前記透明基板の非表示領域の反対側である第３面を備え、且つ、前記遮光絶縁層の第２面は前記前記金属被膜層の第３面と面一である。
【００１３】
好ましくは、前記表示領域に位置する検出用電極層は、それぞれ等間隔で前記透明基板の表示領域に形成されるとともに、第１軸方向に沿って配列される複数の第１電極手段、隣接する２つの第１電極手段をそれぞれ接続する複数の第１軸方向配線、前記の各第１軸方向配線に形成される複数の絶縁層、それぞれ等間隔で前記透明基板の表示領域に形成されるとともに、前記第１軸方向と交差する第２軸方向に沿って配列される複数の第２電極手段、及び、隣接する２つの第２電極手段をそれぞれ接続するとともに、前記の各絶縁層上に形成される複数の第２軸方向配線、を含む。
【００１４】
前記第１電極手段及び／又は第２電極手段の形状は、三角形、菱形、六角形或いはその他の形状とすることができる。
【００１５】
前記検出用電極層は、透光性と導電性を兼ね備えた材料からなり、当該材料は、酸化インジウムスズ（ｉｎｄｉｕｍ  ｔｉｎ  ｏｘｉｄｅ，ＩＴＯ）、酸化インジウム亜鉛（ｉｎｄｉｕｍ  ｚｉｎｃ  ｏｘｉｄｅ，ＩＺＯ）、酸化アルミニウム亜鉛（ａｌｕｍｉｎｕｍ  ｚｉｎｃ  ｏｘｉｄｅ，ＡＺＯ）、酸化インジウムスズ亜鉛（ｉｎｄｉｕｍ  ｔｉｎ  ｚｉｎｃ  ｏｘｉｄｅ，ＩＴＺＯ）、酸化亜鉛、酸化インジウムガリウム亜鉛（ｉｎｄｉｕｍ  ｇａｌｌｉｕｍ  ｚｉｎｃ  ｏｘｉｄｅ，ＩｎＧａＺｎＯ）、又はこれらの組み合わせを含む。
【００１６】
前記配線層の材料は、銅、金、銀、ニッケル、アルミニウム、クロム又はこれらの組み合せを含む。
【００１７】
前記透明基板の材料は、ガラス、石英又は透明高分子材料を含む。
【００１８】
前記金属被膜層は、順に積層されるアルミニウム／モリブデン／アルミニウム層を含む。
【図面の簡単な説明】
【００１９】
【図１】本考案の第１実施例におけるタッチパネルの平面図である。
【図２】本考案の第１実施例におけるタッチパネルの断面図である。
【図３】本考案の第２実施例におけるタッチパネルの断面図である。
【図４】従来技術のタッチパネルの断面図である。
【考案を実施するための形態】
【００２０】
図１と図２を参照する。本考案の第１実施例におけるタッチパネル１は、透明基板１１、検出用電極層１２、遮光導電層１３、遮光絶縁層１４及び配線層１５を含む。
【００２１】
前記透明基板１１は、表示領域Ａと非表示領域Ｂに分割されている。図１を参照する。非表示領域Ｂは表示領域Ａの周囲に位置する。図２を参照する。使用者は矢印Ｃが示す方向に本考案のタッチパネル１を視認及び操作する。
【００２２】
本実施例において、前記透明基板１１はガラス基板である。
【００２３】
前記検出用電極層１２は、前記透明基板１１の表示領域Ａと非表示領域Ｂに形成されるとともに、表示領域部分と非表示領域部分を含み、当該表示領域部分が表示領域Ａに位置し、非表示領域部分が非表示領域Ｂに位置する。本実施例において、当該検出用電極層１２の材料は酸化インジウムスズとしてもよい。
図１を参照する。表示領域Ａに位置する表示領域部分は、複数の第１電極手段１２１、複数の第１軸方向配線１２２、複数の第２電極手段１２３、複数の第２軸方向配線１２４及び複数の絶縁層（図示しない）を含む。
図２を参照する。非表示領域Ｂに位置する非表示領域部分は、基端部に位置する第１部分検出用電極層１２５、及び第１電極手段１２１と第１部分検出用電極層１２５の間に位置する第２部分検出用電極層１２６を含む。
【００２４】
図１を参照する。前記各第１電極手段１２１は、それぞれ等間隔で前記透明基板１１の表示領域Ａに形成され、且つ、これら第１電極手段１２１は第１軸方向Ｄに沿って配列されており、前記各第１軸方向配線１２２によって、隣接する２つの第１電極手段１２１が互いに接続されている。
前記各第２電極手段１２３も、それぞれ等間隔で前記透明基板１１の表示領域Ａに形成され、且つ、これら第２電極手段１２３は第２軸方向Ｅに沿って配列されており、前記各第２軸方向配線１２４によって、隣接する２つの第２電極手段１２３が互いに接続されている。ここで、互いに重なり合う第１軸方向配線１２２と第２軸方向配線１２４の間にはそれぞれ絶縁層（図示しない）が形成されており、これにより、互いに接続される前記各第１電極手段１２１を、互いに接続される前記各第２電極手段１２３と電気的に絶縁している。
【００２５】
本実施例において、前記各第１軸方向配線１２２は前記第１軸方向Ｄと平行であり、前記各第２軸方向配線１２４は前記第２軸方向Ｅと平行であり、且つ、当該第２軸方向Ｅは前記第１軸方向Ｄに垂直である。
前記第２軸方向Ｅが前記第１軸方向Ｄと交差することから、前記各第１電極手段１２１と前記各第２電極手段１２３は前記透明基板１１の表示領域Ａに交差するよう配置されており、これにより、使用者による実際のタッチ位置を検出する電極アレイが形成されている。
【００２６】
図１と図２を参照する。前記遮光導電層１３は、非表示領域Ｂに位置する第１部分検出用電極層１２５上に形成されている（即ち、遮光導電層１３は検出用電極層１２の非表示領域部分の一部に形成されている）。また、前記遮光絶縁層１４は、前記透明基板１１の非表示領域Ｂ上、及び当該非表示領域Ｂに位置する第２部分検出用電極層１２６上に形成されており（即ち、遮光絶縁層１４は検出用電極層１２の非表示領域部分の他の一部に形成されており）、且つ、前記遮光導電層１３の周囲を取り囲むように形成されている。
【００２７】
図１と図２を参照する。前記遮光導電層１３の材料は、導電性のグラファイト又は導電性インクとしてもよい。前記遮光絶縁層１４は、透明基板１１の非表示領域Ｂの反対側である第２面１４１を備え、遮光導電層１３も、透明基板１１の非表示領域Ｂの反対側である第１面１３１を備えており、当該遮光絶縁層１４の第２面１４１は当該遮光導電層１３の第１面１３１と面一である。
【００２８】
前記配線層１５は、前記遮光導電層１３及び前記遮光絶縁層１４上に形成される。これにより、前記配線層１５は、前記遮光導電層１３を介して前記検出用電極層１２に電気接続される。
【００２９】
本考案によれば、前記遮光導電層１３及び遮光絶縁層１４は、前記透明基板１１の非表示領域Ｂ全体の上方を共同で覆っており、且つ、検出用電極層１２と配線層１５を電気接続する遮光導電層１３が透明基板１１の非表示領域Ｂの上方に位置するため、従来技術のタッチパネルでは表示領域と非表示領域の境界部分での透過率が劣るとの課題を解決することができ、よって、本考案のタッチパネルを備えるタッチスクリーンの画質を向上させることが可能となる。
更に、遮光絶縁層１４の第２面１４１は前記遮光導電層１３の第１面１３１と面一であるため、本考案のタッチパネル１は、平滑な表面構造を更に得ることができる。
【００３０】
図３を参照する。本考案の第２実施例のタッチパネル１Ａは、上述の第１実施例のタッチパネルと同様の構造を備えており、透明基板１１Ａ、検出用電極層１２Ａ、遮光導電層１３Ａ、遮光絶縁層１４Ａ及び配線層１５Ａを含む。
【００３１】
本実施例と第１実施例は、前記タッチパネル１Ａが、前記配線層１５Ａと前記遮光導電層１３Ａの間に形成される金属被膜層１６Ａを更に含む点で異なる。
【００３２】
本実施例において、前記遮光絶縁層１４Ａは、前記透明基板１１Ａの非表示領域Ｂの反対側である第２面１４１Ａを備え、前記金属被膜層１６Ａは、前記透明基板１１Ａの非表示領域Ｂの反対側であるとともに前記遮光導電層１３Ａの反対側である第３面１６１Ａを備える。
前記遮光絶縁層１４Ａの第２面１４１Ａは前記金属被膜層１６Ａの第３面１６１Ａと面一であるため、本実施例のタッチパネル１Ａもまた平滑な表面構造を得ることができる。
【００３３】
本実施例において、前記金属被膜層１６Ａは、順に積層されたアルミニウム／モリブデン／アルミニウム層としてもよく、当該層は抵抗率が低いことから、本実施例のタッチパネル１Ａは、優れた信号伝達機能を更に備えることができる。
【００３４】
以上述べたように、本考案は、遮光導電層を前記非表示領域に位置する検出用電極層と配線層の間にのみ形成しており、これによって検出用電極層と配線層を電気接続して信号伝達の目的を達成可能としただけでなく、透明基板の非表示領域全体を遮光導電層と遮光絶縁層とで共同で覆うことができ、更に、表示領域、及び表示領域と非表示領域間の境界部分のいずれにおいても良好な画質を確保することができる。
従って、本考案のタッチパネルを備えたタッチスクリーンは、良好なタッチ性能及び画質等の利点を兼ね備えることができる。
【００３５】
上述の実施例は説明のために列挙したものにすぎず、本考案が主張する権利範囲は自ずと実用新案登録請求の範囲に基づき、上記実施例には限定されない。
【符号の説明】
【００３６】
１，１Ａ          タッチパネル
１１，１１Ａ      透明基板
１２，１２Ａ      検出用電極層
１２１            第１電極手段
１２２            第１軸方向配線
１２３            第２電極手段
１２４            第２軸方向配線
１２５            第１部分検出用電極層
１２６            第２部分検出用電極層
１３，１３Ａ      遮光導電層
１３１            第１面
１４，１４Ａ      遮光絶縁層
１４１，１４１Ａ  第２面
１５，１５Ａ      配線層
１６Ａ            金属被膜層
１６１Ａ          第３面
４                タッチパネル
４１              透明基板
４２              検出用電極層
４３              絶縁インク層
４４              導電層
４５              配線層
４６              表示領域
４７              非表示領域
Ａ                表示領域
Ｂ                非表示領域
Ｃ                矢印
Ｄ                第１軸方向
Ｅ                第２軸方向
【図１】
0003190138.tif 000003
【図２】
0003190138.tif 000004
【図３】
0003190138.tif 000005
【図４】
0003190138.tif 000006